(57)【要約】【課題】  可搬性および投影角度の調整を容易に行うことができるデータプロジェクタを提供する。【解決手段】  プロジェクタ１００は、縦長の本体ケース１０２と、この本体ケースに設けられた投影部（プロジェクタ本体）１３０と、この投影部から離間して設けられたハンドル１０４と、本体ケース１０２の下部に出し入れ可能に設けられた車輪部１０８と、上下方向投影位置を調整する調整装置１０６、１１０、１１２とを有し、車輪部１０８を本体ケース内に収納した状態で移動可能となり、引き出した状態で本体ケース１０２が安定して基準面に配置され投影動作が行われるものである。【選択図】    図２
0003120598.tif 000002
【実用新案登録請求の範囲】
【請求項１】
縦長の本体ケースと、この本体ケースに設けられた投影部と、この投影部から離間して設けられたハンドルと、前記本体ケースの下部に出し入れ可能に設けられた車輪部と、上下方向投影位置を調整可能な調整装置とを有し、
前記車輪部を前記本体ケース内に収納した状態で移動可能となり、引き出した状態で本体ケースが安定して設置面に配置され投影動作が行われることを特徴とするデータプロジェクタ。
【請求項２】
前記投影位置の調整装置は、前記車輪部の出し入れによって構成されていることを特徴とする請求項１に記載のデータプロジェクタ。
【請求項３】
前記車輪部は、前記本体ケースとともに設置面に配置され、前記車輪部の前記本体ケースからの位置を選択することにより前記本体ケースの傾きを可変し、前記投影位置を調整する、請求項２に記載のデータプロジェクタ。
【請求項４】
縦長の本体ケースと、この本体ケースの上面に設けられた投影部と、この投影部から上方に投影される投影光を水平方向に反射する投影方向調節部材と、この投影部から離間して設けられたハンドルと、前記本体ケースの下面に出し入れ可能に設けられた車輪部とを有することを特徴とするデータプロジェクタ。
【考案の詳細な説明】
【技術分野】
【０００１】
本考案は、画像を投影するプロジェクタに関し、特に、ＤＭＤ（Digital Micro-mirror Device）を用いたデータプロジェクタの搬送および投影位置の調整に関する。
【０００２】
パーソナルコンピュータやＤＶＤなどの画像信号に基づいて投影画像を形成し、これを拡大して投影する前面投影型または背面投影型のプロジェクタが実用化されている。プロジェクタは、画像信号を空間的に変調する変調素子として、液晶素子等の透過型素子やＤＭＤ等の反射型素子を用いている。ＤＭＤは、２次元的に配列した各ピクセルが微小なミラーから構成され、各ピクセルの直下に配置されたメモリ素子による静電界作用によってミラーの傾きを制御し、反射光の反射角度を変化させることで、オン／オフ状態を作る反射形表示素子である。ピクセルがオフ状態では、ミラーによる反射光が投影レンズに入射せず、ピクセルがオン状態では、ミラーによる反射光が投影レンズに入射し、スクリーンに画像を形成するように光学系部品が配置されている。
【０００３】
プロジェクタの小型化、軽量化が進むにつれ、固定式のプロジェクタから可搬性の優れたプロジェクタへの需要が増加している。プロジェクタの移動は、ハンドキャリーにより行うことも可能であるが、その重量は、プロジェクタやその付属品を含めると、必ずしも軽量とは言えず、長時間にわたって持つ運びするのは、大きな労力を要する。
【０００４】
特許文献１は、プロジェクタの持ち運びを便利にするため、筐体にハンドルを取り付けた構造を開示している。特許文献２は、図４に示すように、筐体１３の底部後端縁部に２つのキャスタ１１を取り付けたリアプロジェクタを開示している。リアプロジェクタの搬送用ハンドル１２を後方（矢印Ｂ方向）に引いて、リアプロジェクタ１０を後方に傾けると、キャスタ１１が床面に接地し、筐体１３の底面が全面に亘って床面から浮上され、重量の重いリアプロジェクタを軽微な力で容易に移動させることができるようにしている。
【０００５】
特許文献３は、ケース本体に持ち運びの際に把持するハンドルを設け、ハンドルをケース本体に対して、持ち運び使用位置と設置面に設置し投写角度を調整するための角度調整位置との間で回動可能に支持するプロジェクタを開示している。特許文献４は、ハンドルを筐体の側面に設けると外観上のデザインの制約を受けるため、ハンドルを筐体の設置面に取り付けたプロジェクタを開示している。特許文献５は、左右投射方向自動調整装置が前脚の右車輪と左車輪とを回転させることにより、投影装置の投射光軸をスクリーン上の水平線に対して常に垂直になるように自動的に調整することができるプロジェクタを開示している。
【０００６】
【特許文献１】特開２００２−１０７８１６号
【特許文献２】特開２００２−２９６６７８号
【特許文献３】特開２００４−２６４６０８号
【特許文献４】特開２００４−２７２０９３号
【特許文献５】特開２００５−２０１９５４号
【考案の開示】
【考案が解決しようとする課題】
【０００７】
上記した特許文献１ないし５は、持ち運びを容易にしたり、外観上のデザインを良くしたり、投射角度を調整したりする技術を開示しているが、いずれの技術もプロジェクタの可搬性と投射角度（または投影角度）の調整を同時に満足させ、かつそれらを経済的な簡便な手段により実現するものはない。
【０００８】
本考案は、そのような従来の課題を解決するために成されたものであり、可搬性および投射角度の調整を容易にかつ簡単に行うことができるデータプロジェクタを提供することを目的とする。
【課題を解決するための手段】
【０００９】
本考案に係るデータプロジェクタは、縦長の本体ケースと、この本体ケースに設けられた投影部(プロジェクタ本体)と、この投影部から離間して設けられたハンドルと、前記本体ケースの下部に出し入れ可能に設けられた車輪部と、上下方向の投影位置を調整する調整装置とを有し、前記車輪部を前記本体ケース内に収納した状態で移動可能となり、引き出した状態で本体ケースが安定して設置面(例えば、床面)に配置され投影動作が行われるものである。
【００１０】
好ましくは前記投影位置の調整装置は、前記車輪部の出し入れによって構成される。好ましくは、前記車輪部は、前記本体ケースとともに設置面に配置され、前記車輪部の前記本体ケースからの位置を選択することにより前記本体ケースの傾きを可変し、前記投影位置を調整する。
【００１１】
さらに本考案に係るデータプロジェクタは、縦長の本体ケースと、この本体ケースの上面に設けられた投影部と、この投影部から上方に投影される投影光を水平方向に反射する投影方向調節部材と、この投影部から離間して設けられたハンドルと、前記本体ケースの下面に出し入れ可能に設けられた車輪部とを有するものである。
【考案の効果】
【００１２】
本考案のデータプロジェクタによれば、車輪部を利用してプロジェクタを容易に搬送することができると同時に、車輪部の出し入れによってプロジェクタの投影位置を容易に調整することができる。
【考案を実施するための最良の形態】
【００１３】
以下、本考案に係るプロジェクタの好ましい構成を図面を参照して詳細に説明する。
【実施例】
【００１４】
図１は、本考案の実施例に係るデータプロジェクタを示し、プロジェクタを搬送するとき、または保管するときの状態を示している。同図に示すように、プロジェクタ１００は、縦長の本体ケース１０２と、本体ケース１０２の上部に取り付けられたハンドル１０４と、本体ケース１０４の上部に収納されている上下方向の投影調整を調整する投影調整装置１０６と、本体ケース１０４の下部に取り付けられ本体ケースから出し入れ可能な一対の車輪（キャスター）１０８と、車輪１０８を連結部材１１０を介して支持する支持部１１２と、本体ケース１０４の正面に開閉可能の取り付けられた固定板１１４とを備えている。
【００１５】
本体ケース１０２の内部には、中空のスペースが形成されており、そのスペースに、プロジェクタ本体、付属ケーブルおよびリモートコントローラ等が収納されている。プロジェクタ本体は、その内部にランプ、ランプからの光で照明する照明光学系、照明された光を変調するＤＭＤ等の変調装置、変調された光を投影する投影レンズを含み、このプロジェクタ本体が投影部を構成する。プロジェクタ本体は、本体ケース１０２の上部から投影光を出射できるように本体ケース内に縦置きに配置されている。また、収納されるプロジェクタは、複数のタイプのプロジェクタから任意に選択したものである。
【００１６】
車輪１０８を接続した連結部材１１０の端部は、本体ケース１０２の下部（後述する係合部１２４）と係合することで、車輪１０８を本体ケース１０２の下部に接した状態に保持している。この状態で、ユーザーは、ハンドル１０４を把持し、本体ケース１０４を車輪１０８を支点にして幾分傾けながら、車輪１０８を回転させることで本体ケース１０４を自由に移動させることができる。
【００１７】
図２は、プロジェクタを使用するときの状態を示す図である。このとき、投影調整装置１０６は本体ケース１０２の上部から突出し、固定板１１４はほぼ９０度回転した位置にあり、さらに連結部材１１０が本体ケース１０２の係合部１２４から解除され車輪１０８が本体ケース１０２から離れた位置にある。
【００１８】
投影調整装置１０６は、例えば、スプリングなどによって付勢された状態で本体ケース１０２内に係止されており、本体ケース１０２の正面の開閉ボタン１１６を押下することで、その係止を解除することができる。これにより、投影調整装置１０６が本体ケース１０２の上部から一定の高さだけ突出するようにする。あるいは、投影調整装置１０６を手動により本体ケース１０２から引き出すようにしてもよいし、モータなどを用いて開閉ボタン１１６に応答して自動的に投影調整装置１０６が持ち上がるようにしてもよい。
【００１９】
投影調整装置１０６は、本体ケース１０２から鉛直方向に延びるスライド板１２０と、スライド板１２０に一定の摩擦力をもって回転可能に取付けられた開閉ミラー１２２とを備えている。手動またはモータによりスライド板１２０を用い上げる場合には、スライド板１２０を、例えばラックアンドピニオンにより本体ケース１０２に接続することが可能である。これによりスライド板の高さを微調整することができる。開閉ミラー１２２は、投影調整装置１０６が本体ケース１０２内に収納されているとき、本体ケース１０２の上面の一部に形成された開口を塞ぎ、本体ケース１０２の上面の一部を構成している。投影調整装置１０６が本体ケース１２から引き出されると、開閉ミラーは、その開口から離れ、開口を通して本体ケース内部に収納されたプロジェクタ本体１３０の投影レンズ１３２を露出させる。開閉ミラー１２２の角度を調整することで、プロジェクタ本体１３０の投影レンズ１３２からの投影光１３４の角度を任意に可変することができる。
【００２０】
プロジェクタを使用するとき、プロジェクタは設置面上に安定的に固定されなければならない。本例では、その一例として、本体ケース１０２の正面に設けられた固定板１１４を開かせることで、本体ケース１０２の下面と固定板１１４を設置面に接触させ、設置面積を増加させている。これにより、本体ケース１０２が所定の位置に静止され、かつ安定的に固定される。
【００２１】
さらに、連結部材１１０が本体ケース１０２の下部の係合部１２４から離脱され、連結部材１１０が支持部１１２を支点に回転し、一定の角度で停止する。例えば、連結部材１１０が一定の角度以上回転しないようなストッパーを支持部１１０に形成しても良いし、あるいは、他の部材や機構を用いて連結部材１１０を停止させるようにしてもよい。本体ケース１０２から離間された車輪１０８を床面に設置させることで、本体ケース１０２をより安定的に所定の位置に固定することができる。さらに、車輪１０８の回転を防止するためのロック機能を設けるようにしてもよい。
【００２２】
本体ケース１０２内に収納されているプロジェクタ本体１３０は、図示しないリモートコントローラからの指示に応答して動作する。プロジェクタ本体１３０の投影レンズ１３２から投影光１３４が出射され、投影光１３４は開閉ミラー１２２により反射されてスクリーン上に映し出される。このとき、スライド板１３０の高さおよび開閉ミラー１２２の角度を調整すれば、投影光１３４の位置を可変することができる。
【００２３】
次に、本考案の第２の実施例について説明する。図３は、第２の実施例のプロジェクタを示しており、同図(ａ)は、プロジェクタの運搬時または保管時の状態を示し、同図（ｂ）は、プロジェクタの使用時の状態を示している。
【００２４】
第２の実施例では、本体ケース１０２内に収容されるプロジェクタ本体が横向きに配置され、その投影レンズ１３２がケース本体１０２の正面に露出されている。但し、投影レンズ１３２を外部から保護するために保護キャップが取り付けられている。また、ハンドル１４０は本体ケース１０２に対し伸縮自在に取付けられている。
【００２５】
プロジェクタ１００ａを搬送するとき、ハンドル１４０が本体ケース１０２から引き出される。車輪１０８は、第１の実施例のときと同様に本体ケース１０２に接するように固定されている。ユーザーは、ハンドル１４０を把持し、本体ケース１０２を傾斜させた状態で車輪１０８を回転させてプロジェクタ１００ａを移動させる。
【００２６】
プロジェクタ１００ａを使用するとき、ハンドル１４０の一部を本体ケース１０２に収納し、投影レンズ１３２から保護キャップと取り外す。さらに、車輪１０８を本体ケース１０２から離脱させ、連結部材１１０を一定の角度回転させる。そして、本体ケース１０２と車輪１０８が設置面に接するように本体ケース１０２を傾斜させることで、投影レンズ１３２の投影角度を調整する。連結部材１１０は、支持部１１２に対して多段階または無段階の角度で変化することができる。例えば、支持部１１２に複数の角度に応じてノッチ等を形成し、そのノッチに連結部材１１０を係止させることで連結部材１１０を停止させる。あるいは、支持部１１２と連結部材１１０とを一定の摩擦力をもって回動自在に結合させる。あるいは、モータを用いて連結部材１１０の回転位置を可変するようにしてもよい。
【００２７】
例えば、図３（ｂ）に示すように、連結部材１１０ａが支持部材に対して第１の角度にあるとき、車輪１０８ａが本体ケース１０２から第１の距離にあり、投影レンズ１３２からの投影光１３４ａが第１の投影方向にセットされる。連結部材１１０をさらに回転させ、連結部材１１０ｂが支持部１１２に対して第２の角度にあるとき、車輪１０８ｂが本体ケース１０２から第２の距離にあり、投影レンズ１３２からの投影光１３４ｂが第２の投影方向にセットされる。
【００２８】
このように第２の実施例によれば、連結部材１１０の角度を可変することで、投影レンズ１３２の投影方向を任意に調整することができる。また、第２の実施例では、第１の実施例で用いた投影調整装置１０６を必要としないため、より簡単な構成によりプロジェクタの小型化および軽量化を図り、これにより可搬性を容易にしている。
【００２９】
以上、本考案の好ましい実施例について詳述したが、本考案は特定の実施例に限定されるものではなく、実用新案登録請求の範囲に記載された本考案の要旨の範囲内において、種々の変形、変更が可能である。
【産業上の利用可能性】
【００３０】
本発明に係るデータプロジェクタは、テレビ信号、ＤＶＤ等の映像信号、パーソナルコンピュータの画像信号を投影するための画像形成装置として利用される。
【図面の簡単な説明】
【００３１】
【図１】本考案の実施例に係るプロジェクタの運送時または保管時の状態を示し、図１（ａ）は、プロジェクタの斜視図、同図（ｂ）は、その側面図である。
【図２】プロジェクタを使用するときの状態を示し、図２（ａ）は、プロジェクタの斜視図、同図（ｂ）は、その側面図である。
【図３】本考案の第２の実施例のプロジェクタを示し、図３(ａ)は運搬／保管時の状態を示し、図３（ｂ）は使用時の状態を示す。
【図４】従来の映像拡大投影装置の構成を示す図である。
【符号の説明】
【００３２】
１００、１００ａ：プロジェクタ      １０２：本体ケース
１０４：ハンドル                    １０６：投影調整装置
１０８：車輪                        １１０：連結部材
１１２：支持部材                    １１４：固定版
１１６：開閉ボタン                  １２０：スライド板
１２２：開閉ミラー                  １２４：係合部
１３０：プロジェクタ本体            １３２：投影レンズ
１３４：投影光                      １４０：ハンドル
【図１】
0003120598.tif 000003
【図２】
0003120598.tif 000004
【図３】
0003120598.tif 000005
【図４】
0003120598.tif 000006